(57)【要約】【課題】装着に際して立体ギャザーを適切に立ち上げることができるようにする。【解決手段】上記課題は、立体ギャザー６０が、おむつ内面に固定された付根部分６５と、この付根部分６５から突出する突出部分６６と、この突出部分６６のうち前後方向両端部にそれぞれ設けられたおむつ内面に対する着脱部分６７と、突出部分６６のうち前後の着脱部分６７間に位置する非固定の自由部分６８と、この自由部分６８の少なくとも先端部に、前後方向に伸張した状態で固定された弾性伸縮部材６３とを有する、使い捨ておむつにより解決される。【選択図】図７
2011010706.tif 000002
【特許請求の範囲】
【請求項１】
おむつ内面における幅方向両側部に、身体側に突出する立体ギャザーがそれぞれ前後方向に沿って延在している、使い捨ておむつにおいて、
前記立体ギャザーは、おむつ内面に固定された付根部分と、この付根部分から突出する突出部分と、この突出部分のうち前後方向両端部の少なくとも一方に設けられたおむつ内面に対する着脱部分と、前記突出部分のうち前後の着脱部分間に位置する非固定の自由部分と、この自由部分の少なくとも先端部に、前後方向に伸張した状態で固定された弾性伸縮部材とを有するものである、
ことを特徴とする使い捨ておむつ。
【請求項２】
前記着脱部分は、前記突出部分を幅方向中央側に倒伏させた状態でおむつ内面と対向する面にのみ設けられており、
前記突出部分を幅方向中央側に倒伏させることによって、前記着脱部分が前記おむつ内面における前記突出部分より幅方向中央側に取り付けられ、かつ
前記突出部分の着脱部分を反対面側に折返した状態で、前記突出部分を幅方向外側に倒伏させることによって、前記着脱部分が前記おむつ内面における前記突出部分より幅方向外側に取り付けられるように構成されている、請求項１記載の使い捨ておむつ。
【請求項３】
表面を形成する透液性トップシートと、裏面側に位置する液不透過性シートと、これらの間に介在された吸収体とを有し、
前記立体ギャザーを幅方向中央側に倒伏した状態で、前記着脱部分が前記トップシートにおける前記吸収体上領域に取り付けられるように構成されている、請求項２記載の使い捨ておむつ。
【請求項４】
前記着脱部分がメカニカルファスナーのフック材により形成されるとともに、前記おむつ内面における前記着脱部分の取付部位が前記フック材を係止可能な部材により形成されている、請求項１〜３のいずれか１項に記載の使い捨ておむつ。
【発明の詳細な説明】
【技術分野】
【０００１】
本発明は、立体ギャザーを備えた使い捨ておむつに関するものである。
【背景技術】
【０００２】
使い捨ておむつにおいては、脚周りに対するフィット性を高めるために、おむつ内面における幅方向両側部に、身体側に突出する立体ギャザーがそれぞれ前後方向に沿って延在しているものが一般的となっている（例えば特許文献１参照）。このような立体ギャザーを備えることによって、両立体ギャザー間に排泄物が留まり、特に着用者の脚周り部からの排泄物の漏れが防止される。
図８及び図９に示すように、一般的な立体ギャザー６０は、おむつ内面に固定された付根部分６５と、この付根部分６５から突出する突出部分６６とを有しており、この突出部分６６のうち前後方向両端部６６Ｆ，６６Ｂがトップシート３０表面に接着固定されるとともに、中間部が非固定の自由部分６８とされ、この自由部分６８の少なくとも先端部に、前後方向に沿って細長状弾性伸縮部材６３が伸張状態で固定されることによって、弾性伸縮部材６３の収縮作用により自由部分６８がトップシート６３表面から起立するようになっている。なお、図８及び図９中の網掛け部分（点模様部分）は接着固定部分を示しており、また符号５６は吸収体、符号１１は液不透過性シートをそれぞれ示している。
【先行技術文献】
【特許文献】
【０００３】
【特許文献１】特開２００５−２１８６７４号公報
【発明の概要】
【発明が解決しようとする課題】
【０００４】
従来の使い捨ておむつは、製造時に折り畳まれて多数枚が集積され、集積方向に圧縮された状態でポリバッグに収納されて出荷される。突出部分の前後両端部がトップシート表面に接着固定されている立体ギャザーは、倒れた状態でポリバッグ内に圧縮収納されているため、接着剤の染み出しや圧縮による密着により、立体ギャザーの自由部分もトップシート表面に軽く付着される。このことに起因して、従来の紙おむつは次のような問題点を有していた。
すなわち、おむつ装着の際、立体ギャザーが体の下に挟まれることもあって、立体ギャザーの自由部分が適切に立ち上がらず、横漏れを引き起こすおそれがあった。この問題は、おむつの装着に不慣れな人の場合に発生し易いものである。
そこで、本発明の主たる課題は、装着に際して立体ギャザーを適切に立ち上げることができる、使い捨ておむつを提供することにある。
【課題を解決するための手段】
【０００５】
上記課題を解決した本発明は次記のとおりである。
＜請求項１記載の発明＞
おむつ内面における幅方向両側部に、身体側に突出する立体ギャザーがそれぞれ前後方向に沿って延在している、使い捨ておむつにおいて、
前記立体ギャザーは、おむつ内面に固定された付根部分と、この付根部分から突出する突出部分と、この突出部分のうち前後方向両端部の少なくとも一方に設けられたおむつ内面に対する着脱部分と、前記突出部分のうち前後の着脱部分間に位置する非固定の自由部分と、この自由部分の少なくとも先端部に、前後方向に伸張した状態で固定された弾性伸縮部材とを有するものである、
ことを特徴とする使い捨ておむつ。
【０００６】
（作用効果）
本発明では、立体ギャザーの突出部分のうち、従来固定されていた前後方向両端部を着脱部分（着脱自在の部分であり、固定及び剥離が可能な部分である）としたことにより、立体ギャザーの向き（展開状態における倒伏の向き）を前後独立的にかつ自由に変更することができる。よって、立体ギャザーを適切に立ち上げるために、装着に先立って立体ギャザーの向きを幅方向外向きに一旦しておいて、おむつの少なくとも一部（例えば股間部、背側部分）を身体にあてがった後に、着脱部分を幅方向内向き（中央側）に戻しておむつ内面に取り付け、立体ギャザーを脚周りにフィットした適切な姿勢に起立させるといった使い方が可能となる。
【０００７】
また、立体ギャザーは内向きの形態が一般的であり、所謂トイレトレーニング又は吸収量増加等を目的として、立体ギャザー間に別のパッドタイプおむつを敷いて用いる際、立体ギャザーが内向きに倒れていると、立体ギャザー間にパッドタイプおむつを挿入し難いという問題点もあったが、パッドタイプおむつを敷く際、立体ギャザーの向きを幅方向外向きに一旦しておいて、パッドタイプおむつを敷いた後に、幅方向内向き（中央側）に戻すといった使い方も可能となる。なお、着脱部分とするのは前後方向の両端部であるのが好ましいが、体型、動き、排泄方法等を考慮しておれば、腹側のみを着脱部分にしたり背側のみを着脱部分にしたりしても、立体ギャザーの適切な立ち上げやパッドタイプおむつの挿入しやすさ向上といった本発明の効果は十分得られる。
【０００８】
＜請求項２記載の発明＞
前記着脱部分は、前記突出部分を幅方向中央側に倒伏させた状態でおむつ内面と対向する面にのみ設けられており、
前記突出部分を幅方向中央側に倒伏させることによって、前記着脱部分が前記おむつ内面における前記突出部分より幅方向中央側に取り付けられ、かつ
前記突出部分の着脱部分を反対面側に折返した状態で、前記突出部分を幅方向外側に倒伏させることによって、前記着脱部分が前記おむつ内面における前記突出部分より幅方向外側に取り付けられるように構成されている、請求項１記載の使い捨ておむつ。
【０００９】
（作用効果）
このような構造とすることにより、立体ギャザーの突出部分の前後端部を着脱できるだけでなく、着脱部分を立体ギャザーの片面にだけ設ける簡素な構造でありながら、立体ギャザーの向きが内向きであっても外向きであっても、着脱部分をおむつ内面に取り付けることができる。よって、上述のおむつ装着時やパッド装着時における立体ギャザーの向き変更に際して、立体ギャザーを外向きにした状態で仮止めしておくことができ、作業が容易となる。また、立体ギャザーの向きに関係なく着脱部分が身体側に露出しないため、着脱部分と身体との接触を防止することができる。さらに、体型、動き、排泄方法等に応じて、腹側のみ立体ギャザーを外向きにしたり背側のみ向きにしたりすることも可能となる。
【００１０】
＜請求項３記載の発明＞
表面を形成する透液性トップシートと、裏面側に位置する液不透過性シートと、これらの間に介在された吸収体とを有し、
前記立体ギャザーを幅方向中央側に倒伏した状態で、前記着脱部分が前記トップシートにおける前記吸収体上領域に取り付けられるように構成されている、請求項２記載の使い捨ておむつ。
【００１１】
（作用効果）
このような構造とすることによって、立体ギャザーを内向きにして着脱部分を取り付ける際、立体ギャザーがより強く立ち上がるため好ましい。
【００１２】
＜請求項４記載の発明＞
前記着脱部分がメカニカルファスナーのフック材により形成されるとともに、前記おむつ内面における前記着脱部分の取付部位が前記フック材を係止可能な部材により形成されている、請求項１〜３のいずれか１項に記載の使い捨ておむつ。
【００１３】
（作用効果）
本発明の着脱部分としては、着脱が容易であり、繰り返し着脱しても止着力が低下しない点で、このようなフック材を用いるのが好ましい。
【発明の効果】
【００１４】
以上のとおり、本発明によれば、装着に際して立体ギャザーを適切に立ち上げることができるようになる、等の利点がもたらされる。
【図面の簡単な説明】
【００１５】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】図１の８−８線断面図である。
【図６】図１の９−９線断面図である。
【図７】他の状態を示す図１の８−８線断面相当の断面図である。
【図８】従来のテープタイプ使い捨ておむつの内面を示す、おむつを展開した状態における平面図である。
【図９】図８の７−７線断面図である。
【発明を実施するための形態】
【００１６】
以下、本発明の一実施形態について添付図面を参照しながら詳説する。
以下の説明において、「前後方向（縦方向）」とは腹側（前側）と背側（後側）を結ぶ方向を意味し、「幅方向」とは前後方向と直交する方向（左右方向）を意味し、「上下方向」とはおむつの装着状態、すなわちおむつの腹側部分両側部と背側部分量側部を重ね合わせるようにおむつを股間部で２つに折った際に胴回り方向と直交する方向、換言すればウエスト側と股間部側とを結ぶ方向を意味する。
【００１７】
図１〜図７は本発明に係るテープタイプ使い捨ておむつの一例を示している。図３及び図４は、図１における６−６線断面及び７−７線断面をそれぞれ示した図であり、図５及び図６は、図１における８−８線断面及び９−９線断面をそれぞれ示した図である。なお、図１、図４及び図７中の網掛け部分（点模様部分）はホットメルト接着剤等の接着剤や溶着による固定部分を示している。
【００１８】
このテープタイプ使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収要素５０が介在する部分である吸収性本体部１０と、この吸収性本体部１０の前側及び後側にそれぞれ延出する部分であって、且つ吸収要素５０を有しない部分である腹側エンドフラップ部ＦＥ及び背側エンドフラップ部ＢＥとを有するものである。
【００１９】
また、このテープタイプ使い捨ておむつは、腹側Ｆの上縁Ｆ１側部分の両側において、それぞれ股間部Ｃよりも幅方向外側まで延在する一対の腹側サイドフラップ部ＦＦ，ＦＦと、背側Ｂの上縁Ｂ１側部分の両側において、それぞれ股間部Ｃよりも幅方向外側まで延在する一対の背側サイドフラップ部ＢＦ，ＢＦとを備えている。また、背側サイドフラップ部ＢＦ，ＢＦには、係止部材としてのファスニングテープ１３０がそれぞれ設けられている。
【００２０】
より詳細には、吸収性本体部１０ならびに背側および腹側の各サイドフラップ部ＢＦ，ＦＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００２１】
さらに、この吸収性本体部１０の両側には、装着者の肌側に突出（起立）する立体ギャザー６０，６０が設けられており、この立体ギャザー６０，６０を形成するギャザーシート６２，６２が、背側および腹側の各サイドフラップ部ＢＦ，ＦＦの内面を含め、吸収性本体部１０の幅方向外側の全体にわたり延在されている。
【００２２】
以下、各部の素材および特徴部分について順に説明する
（外装シート）
外装シート１２は吸収要素５０を支持し、着用者に装着するための部分である。外装シート１２は、両側部の前後方向中央部が括れた砂時計形状とされており、ここが着用者の脚を入れる部位となる。
【００２３】
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。
【００２４】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００２５】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００２６】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００２７】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
【００２８】
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００２９】
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００３０】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００３１】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００３２】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００３３】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
【００３４】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００３５】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００３６】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００３７】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００３８】
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００３９】
（ファスニングテープ）
図１及び図２に示されるように、ファスニングテープ１３０は、不織布、プラスチックフィルム、ポリラミ不織布、紙やこれらの複合素材からなるファスニング基材１３０Ｃの基部がおむつに取り付けられており、おむつから突出する先端側部分に腹側に対する係止部として、メカニカルファスナーのフック材１３０Ａが設けられている。フック材１３０Ａはファスニング基材１３０Ｃに接着剤により剥離不能に接合されている。
【００４０】
乳幼児用おむつにおいては、ファスニングテープ１３０の取り付け部分の寸法のうち、おむつの幅方向の長さＸ１は１０〜５０ｍｍ、特に２０〜４０ｍｍであるのが好ましく、前後方向長さＹ１は、２０〜１００ｍｍ、特に４０〜８０ｍｍであるのが好ましい。また、ファスニングテープ１３０の先端側部分の寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３０の一部または全部が例えば略テーパ形状をなし、前後方向長さや幅方向長さが一定でない場合は、上記数値範囲は平均値にて定める。ファスニングテープ１３０の形状は、矩形形状などの左右対称形状でもよいが、幅広の取り付け部分と細長状の先端側部分からなる凸型形状であると、先端側部分の摘み部が摘みやすく、かつ左右の基部間の張力が広範囲に作用するため、好ましい。フック材１３０Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック材１３０Ａに代えて、ファスニングテープ１３０の係止部として粘着材層を設けることもできる。
【００４１】
おむつの装着に際しては、背側サイドフラップ部ＢＦを腹側サイドフラップ部ＦＦの外側に重ねた状態で、ファスニングテープを腹側Ｆ外面の適所に係止する。ファスニングテープ１３０の係止箇所の位置及び寸法は任意に定めることができる。乳幼児用おむつにおいては、係止箇所は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
【００４２】
ファスニングテープ１３０は、背側エンドフラップ部ＢＥと吸収要素５０の境界線上にファスニングテープ１３０の取り付け部分が重なるように取り付けられていると、おむつ装着時に左右のファスニングテープ１３０の取り付け部分間に働く張力により、吸収要素５０の背側端部がしっかりと体に押し当てられるため、好ましい。また、ファスニングテープ１３０の取り付け部分が、おむつの背側端部（後端部）と離れすぎていると、おむつ装着時に左右のファスニングテープ１３０の取り付け部分間に働く張力がおむつの背側端部にまで及ばないため、おむつの背側端部と身体表面との間に隙間が生じやすい。従って、背側エンドフラップＢＥの前後方向長さは、ファスニングテープ１３０の基部の前後方向長さと同じか又は短いことが好ましい。
【００４３】
（ターゲット印刷シート）
腹側Ｆにおけるファスニングテープ１３０の係止箇所には、係止を容易にするためのターゲット印刷を有するターゲット印刷シート７４を設けるのが好ましい。ターゲット印刷シート７４は、係止部がフック材１３０Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。ここで、ターゲット印刷は、シート基材に対して施すのが好ましい。
【００４４】
また、腹側Ｆにおけるファスニングテープ１３０の係止箇所が不織布からなる場合、例えば図示形態の外装シート１２が不織布からなる場合であって、ファスニングテープ１３０の係止部がフック材１３０Ａの場合には、ターゲットテープ７４を省略し、フック材１３０Ａを外装シート１２の不織布に絡ませて係止することもできる。この場合、ターゲット印刷シート７４を外装シート１２と液不透過性シート１１との間に設けてもよい。
【００４５】
このような、ターゲット印刷シート７４のシート基材にも後述する背側伸縮シート７０と同様に消臭剤を含有させることができる。この場合、臭気を物理吸着する多孔質消臭粒子を、インクを接着手段としてターゲット印刷シート７４のシート基材に接着するとよい。消臭粒子の種類や配合量、接着形態等については、背側伸縮シート７０と同様とすることができる。
【００４６】
（エンドフラップ部）
エンドフラップ部は、吸収性本体部１０の前側及び後側にそれぞれ延出する部分であって、且つ吸収要素５０を有しない部分であり、前側の延出部分が腹側エンドフラップ部ＦＥであり、後側の延出部分が背側エンドフラップ部ＢＥである。
【００４７】
背側エンドフラップＢＥの前後方向長さは、前述の理由によりファスニングテープ１３０の取り付け部分の前後方向長さと同じか短い寸法とすることが好ましく、また、おむつ背側端部と吸収要素５０とが近接しすぎると、吸収要素５０の厚みとコシによりおむつ背側端部と身体表面との間に隙間が生じやすいため、１０ｍｍ以上とすることが好ましい。
【００４８】
腹側エンドフラップ部ＦＥ及び背側エンドフラップ部ＢＥの前後方向長さは、おむつ全体の前後方向長さＬの５〜２０％程度とするのが好ましく、乳幼児用おむつにおいては、１０〜６０ｍｍ、特に２０〜５０ｍｍとするのが適当である。
【００４９】
（背側伸縮シート）
図示形態では、両ファスニングテープ１３０間に、幅方向に弾性伸縮する帯状の背側伸縮シート７０が設けられ、おむつ背側部におけるフィット性を向上させている。背側伸縮シート７０の両端部は両ファスニングテープ１３０の取り付け部分と重なる部位まで延在されているのが好ましいが、幅方向中央側に離間していても良い。背側伸縮シート７０の前後方向寸法は、ファスニングテープ１３０の取り付け部分の前後方向寸法と概ね同じにするのが適当であるが、±２０％程度の範囲内とするのがよい。また、図示のように背側伸縮シート７０が背側エンドフラップ部ＢＥと吸収要素５０の境界線と重なるように配置されていると、吸収要素５０の背側端部がしっかりと体に押し当てられるため、好ましい。背側伸縮シート７０は、ゴムシート等のシート状弾性伸縮部材を用いても良いが、通気性の観点から不織布や紙を用いるのが好ましい。この場合、伸縮不織布のような通気性を有するシート状弾性伸縮部材を用いることもできるが、図５に示すように、二枚の不織布等のシート基材７１をホットメルト接着剤等の接着剤により張り合わせるとともに、両シート基材７１間に有孔のシート状、網状、細長状（糸状又は紐状等）等の弾性伸縮部材７２を幅方向に沿って伸張した状態で固定したものが好適に用いられる。この場合におけるシート基材７１としては、外装シート１２と同様のものを用いることができる。弾性伸縮部材７２の伸張率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
【００５０】
また、図示のように弾性伸縮部材７２の一部が吸収要素５０を横断するように配置すると、吸収要素５０のフィット性が向上するため好ましいが、この場合は、弾性伸縮部材７２が吸収要素５０と重なる部分の一部又は全部を、切断等の手段により収縮力が働かないようにすると、吸収要素５０の背側端部が幅方向に縮まないため、フィット性がさらに向上する。
【００５１】
なお、弾性伸縮部材７２は、シートの長手方向（おむつの幅方向）にシート基材７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
【００５２】
背側伸縮シート７０は、図示形態では、液不透過性シート１１の幅方向両側ではギャザーシート６２と外装シート１２との間に挟まれ、且つ液不透過性シート１１と重なる部位では、液不透過性シート１１と吸収要素５０との間に挟まれるように設けられているが、液不透過性シート１１と外装シート１２との間に設けても良いし、外装シート１２の外面に設けても良く、またトップシート３０と吸収要素５０との間に設けてもよい。また、背側伸縮シート７０はトップシート３０の上に設けても良く、この場合、液不透過性シート１１の幅方向両側ではギャザーシート６２の上に設けても良い。また、外装シート１２を複数枚のシート基材を重ねて形成する場合には、背側伸縮シート７０全体を、外装シート１２のシート基材間に設けても良い。
【００５３】
（側部立体ギャザー）
トップシート３０上を伝わって横方向に移動する尿や軟便を阻止し、横漏れを防止するために、製品の両側に、使用面側に突出（起立）する立体ギャザー６０，６０を設けるのは好ましい。
【００５４】
この立体ギャザー６０は、展開状態において、吸収体５６の側部領域からその幅方向外側の領域の実質的に全体にわたりおむつ内面を覆うギャザーシート６２と、このギャザーシート６２の幅方向中央側の端部に、前後方向に沿って伸張状態で固定された弾性伸縮部材６３とにより構成されている。ギャザーシート６２としては撥水性不織布を用いることができ、また弾性伸縮部材６３としては糸ゴム状、帯状等の細長状のものを１５０〜２５０％程度の伸張率で前後方向に沿って設けるのが好適であり、その場合、図１及び図３に示すように各立体ギャザー６０に複数本設ける他、各立体ギャザー６０に１本設けることができる。
【００５５】
ギャザーシート６２の内面は、トップシート３０の側部上に幅方向の固定始端を有し、この固定始端から幅方向外側の部分は、液不透過性シート１１の側部およびその幅方向外側に位置する外装シート１２の側部にホットメルト接着剤などにより固定された付根部分６５とされている。この付根部分６５のうち固定始端近傍の幅方向外側において、ギャザーシート６２と外装シート１２とが対向する部分のシート間に、前後方向に沿って糸ゴム等からなる付根部分弾性伸縮部材６４がそれぞれ設けられている。
【００５６】
脚周りにおいては、立体ギャザー６０の固定始端から突出する突出部分６６は、前後方向両端部にそれぞれ設けられたおむつ内面に対する着脱部分６７と、前後の着脱部分６７間に位置する非固定の自由部分６８とを有しており、この自由部分６８に弾性伸縮部材６３が設けられている。
【００５７】
着脱部分６７は、図示例のようにメカニカルファスナー（面ファスナー）のフック材（雄材）により形成する他、粘着剤により形成することができる。粘着剤としては、不織布やシートに着脱しても粘着力が低下し難いものが好ましい。また、フック材や粘着剤を用いる場合、おむつ内面における着脱部分６７の取付部位に、粘着剤の着脱に適した素材を用いるのが好ましい。図示形態において、着脱部分６７をフック材により形成する場合は、おむつ内面のうち立体ギャザー６０より幅方向中央側は不織布からなるトップシートで形成し、立体ギャザー６０より幅方向外側は不織布からなるギャザーシートで形成すれば、着脱部分６７は立体ギャザー６０の内外いずれにも良好に固定することができる。もちろん、フック材の着脱に適したループ材（雌材）や、粘着剤の着脱に適した樹脂シート等の専用のターゲット部材を、おむつ内面における所定部位に設けておくこともできる。
【００５８】
着脱部分６７の前後方向長さは３０〜１００ｍｍ程度、又は製品長さＬに対して１／１５〜１／８程度であるのが好ましく、幅は１０〜３０ｍｍ程度であるのが好ましい。また、着脱部分６７と付根部分６５との幅方向の間隔６９ａは、着脱部分６７の幅以下（間隔が全く無い場合を含む）としても良いが、図示例では着脱部分６７を反対面側に折返して取り付けできるように、立体ギャザー６０の先端から着脱部分６７の付根部分側端縁までの幅６９ｂ以上としている。ただし、この付根部分６５側の間隔６９ａが広いと着脱部分６７の固定性能を確保し難くなるため、立体ギャザー６０の先端から着脱部分６７の付根部分側端縁までの幅６９ｂに加えるとしても５ｍｍ程度までとするのが好ましい。一方、着脱部分６７が肌に接触しないように、着脱部分６７の周縁は突出部分６６の周縁からの離間距離６７ｄは１ｍｍ以上、好ましくは３ｍｍ以上であるのが好ましい。
【００５９】
着脱部分６７は、突出部分６６の内外いずれの面に設けても良く、また両面に設けても良いが、図示例では内面（突出部分６６を幅方向中央側に倒伏させた状態でおむつ内面と対向する面）にのみ設けられている。
【００６０】
使用に際しては、例えばおむつの装着に先立って、図７に示すように立体ギャザー６０の向きを幅方向外向きに一旦しておいて、おむつの少なくとも一部（例えば股間部、背側部分）を身体にあてがった後に、図４に示すように着脱部分６７を幅方向内向き（中央側）に戻してトップシート３０表面における吸収体５６上領域に取り付け、弾性伸縮部材６３の収縮力により立体ギャザー６０の自由部分６８を起立させて脚周りに適切にフィットさせるといった使い方が可能となる。しかも、この立体ギャザー６０の向き変更に際して、着脱部分６７を反対面側に折返した状態で、突出部分６６を幅方向外側に倒伏させ、着脱部分６７をおむつ内面における突出部分６６より幅方向外側（ギャザーシートの付根部分６５）に取り付けることによって、立体ギャザー６０を外向きにした状態で仮止めしておくことができ、作業が容易となる。また、特に図示形態では、着脱部分６７がトップシート３０における吸収体５６上領域に取り付けられるため、装着状態では立体ギャザー６０は吸収体を基礎としてより強く起立するようになる。
【００６１】
また、着用者の体型、動き、排泄方法等から、漏れ防止に適切であると考えられる場合は、立体ギャザー６０を外向きにした状態で装着することもできる。さらに、腹側のみ立体ギャザーを外向きにしたり背側のみ向きにしたりしてもよい。このように立体ギャザー６０の前後端部の少なくとも一方の着脱部分６７を反対側面に折返した状態で突出部分６６を幅方向外側に倒伏させ、着脱部分６７をおむつ内面における突出部分６６より幅方向外側に取り付ける場合は、着脱部分６７の付根部分６５側近傍に、前後方向に沿って伸張状態で弾性伸縮部材（配置位置以外は弾性伸縮部材６３と同様のものでよい）が固定されていると、脚周りのフィット性が向上するため好ましい。
【００６２】
他方、この立体ギャザー６０を立てるための使い方からも判るように、立体ギャザー６０間に別のパッドタイプおむつを敷いて用いる際、立体ギャザー６０の向きを幅方向外向きに一旦しておいて、パッドタイプおむつを敷いた後に、幅方向内向き（中央側）に戻すといった使い方も可能となる。これも、着用者の体型、動き、排泄方法等に応じて、腹側のみ立体ギャザーを外向きにしたり背側のみ向きにしたりすることも可能である。
【００６３】
なお、着脱部分６７とするのは、立体ギャザー６０の前後方向の両端部であるのが好ましいが、体型、動き、排泄方法等を考慮しておれば、腹側及び背側のいずれか一方のみを着脱部分にしても（他方は非着脱の固定部分となる）、立体ギャザーの適切な立ち上げやパッドタイプおむつの挿入しやすさ向上といった本発明の効果は十分得られる。
【産業上の利用可能性】
【００６４】
本発明は、立体ギャザーを有するものであれば、上述のようなテープタイプの他、パンツタイプやパッドタイプ等に適用できるものである。
【符号の説明】
【００６５】
１１…液不透過性シート、１２…外装シート、２０…通気性補強シート、２５…印刷シート、２００…内装体、３０…トップシート、４０…中間シート、５０…吸収要素、５６…吸収体、５８…包装シート、６０…側部立体ギャザー、６２…ギャザーシート、６７…着脱部分、７０…背側伸縮シート。
【図１】
2011010706.tif 000003
【図２】
2011010706.tif 000004
【図３】
2011010706.tif 000005
【図４】
2011010706.tif 000006
【図５】
2011010706.tif 000007
【図６】
2011010706.tif 000008
【図７】
2011010706.tif 000009
【図８】
2011010706.tif 000010
【図９】
2011010706.tif 000011